(57)【特許請求の範囲】
【請求項１】
相手側のコネクタを挿入自在な矩形の開口を一方の面に有する収容室を内部に有する直方体状の外部ハウジングと、
前記外部ハウジングの一方の面と底面を除く、当該外部ハウジングの外面を電磁遮蔽自在に覆う箱状の外部シェルと、
前記外部ハウジングの一方の面と反対側の他方の面から前記収容室に収容し、当該収容室の内部の一部を電磁遮蔽自在に囲った角筒状の内部シェルと、
一方の面に矩形の開口を有するコンタクト収容室を内部に有し、一方の面と反対側の他方の面を除く外面を前記内部シェルで覆った直方体状の内部ハウジングと、
前記コンタクト収容室の内壁に一片を配列し、他片を前記内部ハウジングの他方に面に同列に配置し、一片に対して他片を略直角に屈曲した複数の板状の第１コンタクト及び第２コンタクトと、を備え、
前記内部シェルは、他方の面から一方の面に向かって突出した一対の第１圧入片を両側部に有し、
前記外部ハウジングは、一対の前記第１圧入片が圧入自在な圧入穴を他方の面の両側部に開口している、シールドコネクタ。
【請求項２】
前記内部シェルは、他方の面から起立すると共に、一方の面に向かって延出した一対の帯板状の第２圧入片を更に有し、
前記外部ハウジングは、上面に穿設し、一対の前記第２圧入片を他方の面から導入自在な方形の圧入溝を有し、
前記第２圧入片は、前記圧入溝の側面に係止自在な一つ以上のバーブを板厚面に有している、請求項１記載のシールドコネクタ。
【請求項３】
前記第２圧入片は、当該第２圧入片に片持ち支持し、上り傾斜した状態で配置され、先端部が前記外部シェルの天板の内壁に接触自在なばね片を有している、請求項２記載のシールドコネクタ。
【請求項４】
前記外部ハウジングは、前記収容室に連通する一対の窓を両側面に有し、
前記外部シェルは、その両側面から段差を有して内部側に沈下し、前記窓を封鎖する一対の凹部片を有し、
前記凹部片は、前記外部シェルの底部に向かって突出し、プリント基板にハンダ接合自在な支持脚を有し、
前記支持脚は、前記外部ハウジングに係止自在な一つ以上のバーブを板厚面に有している、請求項１から３のいずれかに記載のシールドコネクタ。
【請求項５】
前記第１コンタクト及び第２コンタクトは、プリント基板の表面にハンダ接合なリード部を他片に有している、請求項１から４のいずれかに記載のシールドコネクタ。
【発明の詳細な説明】
【技術分野】
【０００１】
本発明は、シールドコネクタに関する。特に、ノイズがコンタクトの接続部から漏洩、又は、ノイズがコンタクトの接続部に侵入することを抑制するために、多数のコンタクトの周囲を電磁遮蔽したシールドコネクタであって、小型化したシールドコネクタの構造に関する。
【背景技術】
【０００２】
例えば、映像データ及び音声データをデジタル信号で伝送する通信インターフェースの規格の一つとして、高精細度マルチメディアインターフェース（Ｈｉｇｈ−Ｄｅｆｉｎｉｔｉｏｎ  Ｍｕｌｔｉｍｅｄｉａ  Ｉｎｔｅｒｆａｃｅ）いわゆる、ＨＤＭＩ（登録商標）が知られている。ＨＤＭＩは、映像データ、音声データ、及び制御信号を１本のケーブルで伝送できるというメリットがあることから、その普及が期待されている。
【０００３】
近年では、ＨＤＭＩコネクタ（リセプタクル）をカーナビゲーションに搭載し、自動車の内部に設置されたＡＶ機器にＨＤＭＩケーブルで高周波の映像信号を伝送することが可能になっている。
【０００４】
ところで、このようなＨＤＭＩコネクタは、ノイズがコンタクトの接続部から漏洩、又は、ノイズがコンタクトの接続部に侵入することを抑制するために、多数のコンタクトの周囲を箱状のシェルで電磁遮蔽自在に二重に覆ったシールドコネクタとなっている。
【０００５】
このようなシールドコネクタとしては、外部ハウジング、内部ハウジング、外部シェル、及び、内部シェルで構成し、内部シェルに大きな切り欠き、又は大きな開口を設けることなく、シールド性能を向上したシールドコネクタが開示されている（例えば、特許文献１参照）。
【先行技術文献】
【特許文献】
【０００６】
【特許文献１】特開２０１２−７４２２３号公報
【発明の概要】
【発明が解決しようとする課題】
【０００７】
図１５は、従来技術によるシールドコネクタの構成を示す斜視分解組立図である。図１６は、従来技術によるシールドコネクタの部分構成を示す斜視分解組立図である。図１７は、従来技術によるシールドコネクタの構成を示す斜視図であり、シールドコネクタをプリント基板に実装する前の状態図である。図１８は、従来技術によるシールドコネクタの構成を示す図であり、図１８（Ａ）は、シールドコネクタの右側面図、図１８（Ｂ）は、図１８（Ａ）の縦断面図である。
【０００８】
なお、本願の図１５と図１６は、特許文献１の図２と図３に相当している。又、本願の図１７と図１８は、特許文献１の図８と図１０に相当している。
【０００９】
図１５から図１８を参照すると、従来技術によるシールドコネクタ（以下、コネクタと略称する）９は、直方体状の外部ハウジング９１と直方体状の内部ハウジング９２を備えている。又、コネクタ９は、外部シェル９３と内部シェル９４を備えている。更に、コネクタ９は、複数の板状の第１コンタクト９５と複数の板状の第２コンタクト９６を備えている。
【００１０】
図１５又は図１７を参照すると、外部ハウジング９１は、前面側に矩形に開口した収容室９１１を内部に有している。収容室９１１は、外部ハウジング９１の後方側にも開口している。収容室９１１には、相手側コネクタ（図示せず）を前面側から挿入できる。又、収容室９１１には、内部シェル９４で覆われた内部ハウジング９２を外部ハウジング９１の後方側から収容できる（図１５参照）。
【００１１】
図１５又は図１７を参照すると、外部シェル９３は、外部ハウジング９１の前面及び底面を除く四面を覆うことができる。同様に、内部シェル９４は、内部ハウジング９２の前面及び底面を除く四面を覆うことができる。
【００１２】
図１５を参照すると、外部ハウジング９１は、一対のランス９１ｒ・９１ｒを収容室９１１の内側壁に備えている。一対のランス９１ｒ・９１ｒは、収容室９１１の後部側に配置されている。又、外部ハウジング９１は、一組のランス９１ｓ・９１ｓを収容室９１１の内上壁に備えている。一組のランス９１ｓ・９１ｓは、収容室９１１の後部側に配置されている。
【００１３】
一方、図１５又は図１６を参照すると、内部シェル９４は、一対の帯板状の支持脚９４ｆ・９４ｆと一対の矩形の開口９４ｈ・９４ｈを有している。一対の支持脚９４ｆ・９４ｆは、内部シェル９４の底部側に突出している。一対の開口９４ｈ・９４ｈは、天板９４１と背面板９４２に跨って開口している。図１５に示すように、天板９４１に対して、背面板９４２を略直角に屈曲させた状態では、一対の開口９４ｈ・９４ｈを介して、内部ハウジング９２の角部を露出できる。
【００１４】
図１５を参照して、内部シェル９４付き内部ハウジング９２を外部ハウジング９１の後方側から挿入すると、一対のランス９１ｒ・９１ｒの爪部を一対の支持脚９４ｆ・９４ｆの端縁に係止できる。又、内部シェル９４付き内部ハウジング９２を外部ハウジング９１の後方側から挿入すると、一対の開口９４ｈ・９４ｈを介して、一組のランス９１ｓ・９１ｓの爪部を内部ハウジング９２の角部に係止できる。
【００１５】
図１８（Ｂ）を参照すると、内部ハウジング９２は、板状のヘッダ９２ｈを一端側に突出している。ヘッダ９２ｈは、相手側コネクタ（図示せず）に配置したヘッダが挿入自在な収容室９２１を内部に有している。収容室９２１の内上壁には、第１コンタクト９５の接触部９５ｃを配列している。又、収容室９２１の内下壁には、第２コンタクト９６の接触部９６ｃを配列している。
【００１６】
図１８（Ｂ）を参照して、相手側コネクタ（図示せず）のヘッダを収容室９２１に挿入すると、相手側コンタクトと第１コンタクト９５及び第２コンタクト９６を電気的に接続できる。
【００１７】
図１６を参照すると、第１コンタクト９５は、リード部９５ｒを他片に有している。同様に、第２コンタクト９６は、リード部９６ｒを他片に有している。一方、図１７を参照すると、プリント基板９ｐには、これらのリード部９５ｒ及びリード部９６ｒをハンダ接合自在な複数のスルーホール９０ｓを開口している。これらのリード部９５ｒ及びリード部９６ｒをスルーホール９０ｓにハンダ接合することで、第１コンタクト９５及び第２コンタクト９６とプリント基板９ｐを電気的に接続できる。
【００１８】
図１５又は図１６及び図１８を参照すると、コネクタ９は、直方体状のスペーサ９７を備えている。スペーサ９７は、絶縁性を有する合成樹脂を成形している。スペーサ９７は、第１コンタクト９５の他片を保持している（図１８参照）。又、スペーサ９７は、第２コンタクト９６の他片を保持している（図１８参照）。
【００１９】
図１８を参照すると、スペーサ９７は、第１コンタクト９５の他片と第２コンタクト９６の他片が所定に間隔を維持するように、第１コンタクト９５と第２コンタクト９６を保持している。又、図１６又は図１８を参照すると、スペーサ９７は、隔壁９７ｗを設けて、第１コンタクト９５と内部シェル９４の背面板９４２を隔絶している。
【００２０】
図１５又は図１６及び図１８を参照すると、外部シェル９３は、矩形のタブ片９３ｔを開口側に備えている。タブ片９３ｔは、外部シェル９３の天板９３１から起立している。タブ片９３ｔは、エンボス９３ｂを中央部に有している。エンボス９３ｂには、雌ねじ部を形成している。
【００２１】
図１８を参照して、図示しないパネルに開口した取り付け穴を介して、固定ねじをエンボス９３ｂの雌ねじ部に締結することで、コネクタ９をパネルに固定できる。すなわち、コネクタ９を電子機器に実装できる。
【００２２】
図１５から図１８を参照すると、従来技術によるコネクタ９は、多数のコンタクトの周囲を二重に電磁遮蔽したシールドコネクタを実現している。
【００２３】
しかし、図１８（Ｂ）を参照すると、従来技術によるコネクタ９は、第１コンタクト９５と第２コンタクト９６の間にスペーサ９７を配置したこと、及び、外部シェル９３の背面板９３２と内部シェル９４の背面板９４２の間に空間を設けたことで、コネクタ９の奥行方向の長さを大きくしている、という問題がある。
【００２４】
又、図１５を参照すると、従来技術によるコネクタ９は、一対のランス９１ｒ・９１ｒを収容室９１１の内部に配置しているので、コネクタ９の幅方向の長さを大きくしている、という問題がある。シールドコネクタの外形を小さくすることで、プリント基板の占有面積を縮小でき、プリント基板の過密実装と電子機器の小型化を期待できる。そして、以上のことが本発明の課題といってよい。
【００２５】
本発明は、このような課題に鑑みてなされたものであり、多数のコンタクトの周囲を二重に電磁遮蔽したシールドコネクタであって、より小型化したシールドコネクタを提供することを目的とする。
【課題を解決するための手段】
【００２６】
本発明者らは、外部ハウジングと内部ハウジング、及び、外部シェルと内部シェルでシールドコネクタを構成し、外部シェルの背面板が近接自在に、複数のコンタクトを内部ハウジングの背面に同列に配置すると共に、内部シェルの両側面に配置した一対の圧入片が外部ハウジングの両側面に形成した圧入溝に係止自在に構成することで、小型化したシールドコネクタを実現できると考え、これに基づいて、以下のような新たなシールドコネクタを発明するに至った。
【００２７】
（１）本発明によるシールドコネクタは、相手側のコネクタを挿入自在な矩形の開口を一方の面に有する収容室を内部に有する直方体状の外部ハウジングと、前記外部ハウジングの一方の面と底面を除く、当該外部ハウジングの外面を電磁遮蔽自在に覆う箱状の外部シェルと、前記外部ハウジングの一方の面と反対側の他方の面から前記収容室に収容し、当該収容室の内部の一部を電磁遮蔽自在に囲った角筒状の内部シェルと、一方の面に矩形の開口を有するコンタクト収容室を内部に有し、一方の面と反対側の他方の面を除く外面を前記内部シェルで覆った直方体状の内部ハウジングと、前記コンタクト収容室の内壁に一片を配列し、他片を前記内部ハウジングの他方に面に同列に配置し、一片に対して他片を略直角に屈曲した複数の板状の第１コンタクト及び第２コンタクトと、を備え、前記内部シェルは、他方の面から一方の面に向かって突出した一対の第１圧入片を両側部に有し、前記外部ハウジングは、一対の前記第１圧入片が圧入自在な圧入穴を他方の面の両側部に開口している。
【００２８】
（２）前記内部シェルは、他方の面から起立すると共に、一方の面に向かって延出した一対の帯板状の第２圧入片を更に有し、前記外部ハウジングは、上面に穿設し、一対の前記第２圧入片を他方の面から導入自在な方形の圧入溝を有し、前記第２圧入片は、前記圧入溝の側面に係止自在な一つ以上のバーブを板厚面に有していることが好ましい。
【００２９】
（３）前記第２圧入片は、当該第２圧入片に片持ち支持し、上り傾斜した状態で配置され、先端部が前記外部シェルの天板の内壁に接触自在なばね片を有していることが好ましい。
【００３０】
（４）前記外部ハウジングは、前記収容室に連通する一対の窓を両側面に有し、前記外部シェルは、その両側面から段差を有して内部側に沈下し、前記窓を封鎖する一対の凹部片を有し、前記凹部片は、前記外部シェルの底部に向かって突出し、プリント基板にハンダ接合自在な支持脚を有し、前記支持脚は、前記外部ハウジングに係止自在な一つ以上のバーブを板厚面に有していることが好ましい。
【００３１】
（５）前記第１コンタクト及び第２コンタクトは、プリント基板の表面にハンダ接合なリード部を他片に有していることが好ましい。
【発明の効果】
【００３２】
本発明によるシールドコネクタは、外部ハウジングと内部ハウジング、及び、外部シェルと内部シェルを備え、外部シェルの背面板が近接自在に、複数のコンタクトを内部ハウジングの背面に同列に配置すると共に、内部シェルの両側面に配置した一対の圧入片が外部ハウジングの両側面に形成した圧入溝に係止自在に構成することで、従来技術によるスペーサ及び一対の内部ランスを不要とし、シールドコネクタをより小型化できる。
【図面の簡単な説明】
【００３３】
【図１】本発明の一実施形態によるシールドコネクタの構成を示す斜視図であり、プリント基板に実装したシールドコネクタに対して、相手側のコネクタを対向配置した状態図である。
【図２】前記実施形態によるシールドコネクタの構成を示す斜視図である。
【図３】前記実施形態によるシールドコネクタに接続自在な相手側のコネクタの構成を示す斜視図である。
【図４】前記実施形態によるシールドコネクタの構成を示す斜視分解組立図である。
【図５】相手側のコネクタの構成を示す斜視分解組立図である。
【図６】前記実施形態によるシールドコネクタの構成を示す斜視分解組立図であり、シールドコネクタの各構成品を背面側から観た状態図である。
【図７】前記実施形態によるシールドコネクタに備わる外部ハウジングの構成を示す図であり、図７（Ａ）は、外部ハウジングの正面図、図７（Ｂ）は、外部ハウジングの平面図、図７（Ｃ）は、外部ハウジングの右側面図、図７（Ｄ）は、外部ハウジングの左側面図、図７（Ｅ）は、外部ハウジングの背面図、図７（Ｆ）は、外部ハウジングの下面図である。
【図８】前記実施形態によるシールドコネクタに備わる外部シェルの構成を示す図であり、図８（Ａ）は、外部シェルの正面図、図８（Ｂ）は、外部シェルの平面図、図８（Ｃ）は、外部シェルの右側面図、図８（Ｄ）は、外部シェルの左側面図、図８（Ｅ）は、外部シェルの背面図、図８（Ｆ）は、外部シェルの下面図である。
【図９】前記実施形態によるシールドコネクタの縦断面を示す斜視図である。
【図１０】前記実施形態によるシールドコネクタの構成を示す斜視図であり、外部シェルを取り外したシールドコネクタを背面側から観た状態図である。
【図１１】図１０の要部を拡大した斜視図である。
【図１２】図１０の要部を拡大した斜視図である。
【図１３】図９の要部を拡大した縦断面斜視図である。
【図１４】前記実施形態によるシールドコネクタに備わる第１コンタクト及び第２コンタクトの構成を示す斜視図である。
【図１５】従来技術によるシールドコネクタの構成を示す斜視分解組立図である。
【図１６】従来技術によるシールドコネクタの部分構成を示す斜視分解組立図である。
【図１７】従来技術によるシールドコネクタの構成を示す斜視図であり、シールドコネクタをプリント基板に実装する前の状態図である。
【図１８】従来技術によるシールドコネクタの構成を示す図であり、図１８（Ａ）は、シールドコネクタの右側面図、図１８（Ｂ）は、図１８（Ａ）の縦断面図である。
【発明を実施するための形態】
【００３４】
以下、図面を参照して本発明を実施するための形態を説明する。
【００３５】
［シールドコネクタの構成］
最初に、本発明の一実施形態によるシールドコネクタの構成を説明する。図１は、本発明の一実施形態によるシールドコネクタの構成を示す斜視図であり、プリント基板に実装したシールドコネクタに対して、相手側のコネクタを対向配置した状態図である。
【００３６】
図２は、前記実施形態によるシールドコネクタの構成を示す斜視図である。図３は、前記実施形態によるシールドコネクタに接続自在な相手側のコネクタの構成を示す斜視図である。
【００３７】
図４は、前記実施形態によるシールドコネクタの構成を示す斜視分解組立図である。図５は、相手側のコネクタの構成を示す斜視分解組立図である。
【００３８】
図６は、前記実施形態によるシールドコネクタの構成を示す斜視分解組立図であり、シールドコネクタの各構成品を背面側から観た状態図である。
【００３９】
図７は、前記実施形態によるシールドコネクタに備わる外部ハウジングの構成を示す図であり、図７（Ａ）は、外部ハウジングの正面図、図７（Ｂ）は、外部ハウジングの平面図、図７（Ｃ）は、外部ハウジングの右側面図、図７（Ｄ）は、外部ハウジングの左側面図、図７（Ｅ）は、外部ハウジングの背面図、図７（Ｆ）は、外部ハウジングの下面図である。
【００４０】
図８は、前記実施形態によるシールドコネクタに備わる外部シェルの構成を示す図であり、図８（Ａ）は、外部シェルの正面図、図８（Ｂ）は、外部シェルの平面図、図８（Ｃ）は、外部シェルの右側面図、図８（Ｄ）は、外部シェルの左側面図、図８（Ｅ）は、外部シェルの背面図、図８（Ｆ）は、外部シェルの下面図である。
【００４１】
図９は、前記実施形態によるシールドコネクタの縦断面を示す斜視図である。図１０は、前記実施形態によるシールドコネクタの構成を示す斜視図であり、外部シェルを取り外したシールドコネクタを背面側から観た状態図である。
【００４２】
図１１は、図１０の要部を拡大した斜視図である。図１２は、図１０の要部を拡大した斜視図である。図１３は、図９の要部を拡大した縦断面斜視図である。図１４は、前記実施形態によるシールドコネクタに備わる第１コンタクト及び第２コンタクトの構成を示す斜視図である。
【００４３】
（全体構成）
図１から図１３を参照すると、本発明の一実施形態によるシールドコネクタ（以下、リセプタクルという）１０は、直方体状の外部ハウジング１と箱状の外部シェル３を備えている。外部ハウジング１は、収容室１１を内部に有している。収容室１１は、矩形の開口１１ａを前面側（一方の面）に有している。収容室１１には、その前面側から相手側のコネクタ（以下、プラグという）２０を挿入できる（図１参照）。
【００４４】
図１又は図２及び図４又は図６を参照すると、外部シェル３は、天板３１、一対の側面板３２・３２、及び、背面板３３で構成している。外部シェル３は、外部ハウジング１の前面と底面を除く、外部ハウジング１の外面を電磁遮蔽自在に覆うことができる。
【００４５】
又、図１から図１４を参照すると、リセプタクル１０は、角筒状の内部シェル４、直方体状の内部ハウジング５、及び、複数の板状の第１コンタクト６１及び第２コンタクト６２を備えている。
【００４６】
図４又は図６を参照すると、内部シェル４は、外部ハウジング１の背面（他方の面）側から収容室１１に収容できる。そして、内部シェル４は、収容室１１の内部を電磁遮蔽自在に囲っている（図９参照）。
【００４７】
図４又は図６及び図９を参照すると、内部ハウジング５は、コンタクト収容室５１を内部に有している。コンタクト収容室５１は、矩形の開口を前面に有している。又、内部ハウジング５は、前面と反対側の背面を除く外面を内部シェル４で覆っている。
【００４８】
図９又は図１０及び図１４を参照すると、第１コンタクト６１は、一片６１１に対して他片６１２を略直角に屈曲している（図１４参照）。同様に、第２コンタクト６２は、一片６２１に対して他片６２２を略直角に屈曲している（図１４参照）。
【００４９】
図９を参照すると、第１コンタクト６１の一片６１１は、コンタクト収容室５１の上内壁に配列している。一方、第２コンタクト６２の一片６２１は、コンタクト収容室５１の底壁に配列している。そして、第１コンタクト６１の他片６１２及び第２コンタクト６２の他片６２２は、内部ハウジング５の背面に同列に配置している（図１０参照）。
【００５０】
図４又は図６及び図１０又は図１２を参照すると、内部シェル４は、一対一組の第１圧入片４１ｐ・４１ｐを背面側の両側部に有している。これらの第１圧入片４１ｐ・４１ｐは、内部シェル４の背面から前面に向かって突出している。
【００５１】
一方、図６又は図７を参照すると、外部ハウジング１は、一対一組の圧入穴１１ｈ・１１ｈを背面の両側部に開口している。これらの圧入穴１１ｈ・１１ｈには、一対一組の第１圧入片４１ｐ・４１ｐを圧入できる（図１０又は図１２参照）。そして、内部ハウジング５を保持した内部シェル４を外部ハウジング１に固定できる（図１０参照）。
【００５２】
図９又は図１０を参照すると、リセプタクル１０は、外部シェル３の背面板３３を第１コンタクト６１の他片６１２及び第２コンタクト６２の他片６２２に近接配置している。
【００５３】
又、図９又は図１０を参照すると、リセプタクル１０は、第１コンタクト６１の他片６１２及び第２コンタクト６２の他片６２２を内部ハウジング５の背面に同列に配置している。これにより、第１コンタクトの他片と第２コンタクトの他片が所定に間隔を維持するためのスペーサ９７を不要とし（図１８（Ｂ）参照）、リセプタクル１０の奥行方向の長さを小さくできる。
【００５４】
図４又は図６及び図１０又は図１２を参照すると、リセプタクル１０は、内部シェル４に形成した一対一組の第１圧入片４１ｐ・４１ｐを外部ハウジング１の背面に開口した圧入穴１１ｈ・１１ｈに圧入することで、内部シェル４を外部ハウジング１に固定している。これにより、従来技術による一対のランス９１ｒ・９１ｒを不要とし（図１５参照）、リセプタクル１０の幅方向の長さを小さくできる。
【００５５】
（相手側のコネクタの構成）
次に、実施形態によるリセプタクル１０の各構成品を説明する前に、相手側のコネクタであるプラグ２０の構成を説明する。なお、相手側のコネクタは、図示したプラグ２０に限定されない。
【００５６】
図１又は図３及び図５を参照すると、プラグ２０は、ケーブルＣｂの端末に取り付けられている。プラグ２０は、直方体状の外部ハウジング２１と角筒状のシェル２２を備えている。又、プラグ２０は、直方体状の内部ハウジング２３と複数のベローズ形のコンタクト２４を備えている。
【００５７】
図１又は図３及び図５を参照すると、外部ハウジング２１は、その大部分を外部ハウジング１の収容室１１に挿入できる。外部ハウジング２１は、中央キー２１１と一対の側部キー２１２・２１２を上面から隆起している。中央キー２１１と一対の側部キー２１２・２１２を外部ハウジング２１の上面に形成することで、リセプタクル１０に対するプラグ２０の誤挿入を防止できる。
【００５８】
図１又は図３及び図５を参照すると、中央キー２１１は、その末端部側が操作自在な押動レバーになっている。中央キー２１１は、三角形体状のランス２１ｒを末端部側から突出している。
【００５９】
図１を参照して、プラグ２０をリセプタクル１０に挿入すると、外部ハウジング１の前面側に開口した係止穴１１１にランス２１ｒを係止できる。つまり、プラグ２０をリセプタクル１０にロックできる。一方、中央キー２１１の末端部を押動操作すると、係止穴１１１からランス２１ｒを解除でき、プラグ２０をリセプタクル１０から引き抜くことができる。
【００６０】
図３又は図５を参照すると、外部ハウジング２１は、収容室２１３を内部に有している。収容室２１３は、矩形の開口を前面側に有している。図１を参照して、プラグ２０をリセプタクル１０に挿入すると、内部ハウジング５付き内部シェル４（図９参照）を収容室２１３に収容できる。
【００６１】
図３又は図５を参照すると、シェル２２は、外部ハウジング２１の前面側から収容室２１３に収容できる。そして、シェル２２は、収容室２１３の内部を電磁遮蔽自在に囲っている。
【００６２】
図３又は図５を参照すると、内部ハウジング２３は、シェル２２の背面側から内部に挿入できる。そして、内部ハウジング２３は、シェル２２で電磁遮蔽自在に覆われている。内部ハウジング２３は、板状のヘッダ２３ｈを一端部側に突出している（図５参照）。ヘッダ２３ｈは、コンタクト収容室５１に嵌合できる（図９参照）。
【００６３】
図５を参照すると、ヘッダ２３ｈには、複数のコンタクト２４の自由端部を配列している。複数のコンタクト２４は、それらの自由端部の屈曲部が相反する向きに向かうように、ヘッダ２３ｈに配列されている。ヘッダ２３ｈをコンタクト収容室５１に挿入すると（図９参照）、プラグ２０に配列した複数のコンタクト２４を第１コンタクト６１の一片６１１及び第２コンタクト６２の一片６２１に接触できる。
【００６４】
図５を参照すると、ケーブルＣｂは、その内部に複数の電線（図示せず）を収容している。複数のコンタクト２４の固定端部は、前記電線の端末と結線している。そして、図１を参照して、プラグ２０をリセプタクル１０に挿入すると、ケーブルＣｂとリセプタクル１０を電気的に接続できる。又、ケーブルＣｂとプリント基板９ｐを電気的に接続できる、ということもできる（図１参照）。
【００６５】
（外部ハウジングの構成）
次に、実施形態による外部ハウジング１の構成を説明する。図４又は図６及び図７を参照すると、外部ハウジング１は、絶縁性を有している。非導電性の材料からなる合成樹脂を成形して、所望の形状の絶縁性の外部ハウジング１を得ることができる。
【００６６】
図１又は図２及び図４を参照すると、外部ハウジング１は、開口１１ａの上部の中央部にキー溝ｋ１を切り欠いている。又、外部ハウジング１は、キー溝ｋ１の両側に一対のキー溝ｋ２・ｋ２を切り欠いている。これらのキー溝ｋ１及び一対のキー溝ｋ２・ｋ２は、中央キー２１１と一対の側部キー２１２・２１２に嵌合できる。そして、リセプタクル１０に対するプラグ２０の誤挿入を防止できる。
【００６７】
図１又は図２及び図４を参照すると、外部ハウジング１は、その前面側に係止穴１１１を開口している。係止穴１１１は、キー溝ｋ１に連通している。図１を参照して、プラグ２０をリセプタクル１０に挿入すると、キー溝ｋ１を介して、ランス２１ｒを係止穴１１１に係止できる。
【００６８】
図４又は図６及び図７（Ｂ）を参照すると、外部ハウジング１は、その前面側の上面に一対の係止穴１１２・１１２を開口している。一方、図４又は図８（Ａ）を参照すると、外部シェル３は、天板３１の端部から一対の爪片３１１・３１１を突出している。図４を参照して、外部シェル３を外部ハウジング１に向かって挿入すると、爪片３１１を係止穴１１２に係止できる。そして、外部シェル３を外部ハウジング１に固定できる（図１又は図２参照）。
【００６９】
図４又は図６及び図７（Ｂ）を参照すると、外部ハウジング１は、その背面側の上面に一対の方形の圧入溝１１３・１１３を穿設している。一方、図４又は図６を参照すると、内部シェル４は、一対の帯板状の第２圧入片４２ｐ・４２ｐを有している。
【００７０】
図４又は図６を参照すると、一対の第２圧入片４２ｐ・４２ｐは、内部シェル４の背面から起立すると共に、前面に向かって延出している。図４又は図６及び図７（Ｂ）を参照すると、一対の圧入溝１１３・１１３には、外部ハウジング１の背面側から第２圧入片４２ｐ・４２ｐを導入できる。
【００７１】
図１１を参照すると、第２圧入片４２ｐは、その板厚面から突出する一対のバーブ（ｂａｒｂ：刺）４２ｂ・４２ｂを有している。外部ハウジング１の背面側から第２圧入片４２ｐを圧入溝１１３に導入すると、一対のバーブ４２ｂ・４２ｂを圧入溝１１３の側面に係止できる。つまり、外部シェル３を外部ハウジング１に固定できる（図１３参照）。
【００７２】
図４又は図６及び図７を参照すると、外部ハウジング１は、一対の窓１１ｗ・１１ｗを両側面に開口している。一対の窓１１ｗ・１１ｗは、収容室１１に連通している。
【００７３】
一方、図４又は図６及び図８を参照すると、外部シェル３は、一対の窓１１ｗ・１１ｗを封鎖する一対の凹部片３２ｃ・３２ｃを有している。凹部片３２ｃは、側面板３２から段差を有して内部側に沈下している。なお、窓１１ｗと凹部片３２ｃとの関係は、後述する。
【００７４】
（外部シェルの構成）
次に、実施形態による外部シェル３の構成を説明する。図４又は図６及び図８を参照すると、外部シェル３は、導電性を有する展開板を成形して箱状に構成している。外部シェル３は、前面及び底面を開放している。
【００７５】
図４又は図６及び図８には図示していないが、外部シェル３は、天板３１から連続して背面側に延びる背面板３３を有している。天板３１に対して、背面板３３を略直角に折り曲げることで、外部ハウジング１の背面側を電磁遮蔽（シールド）できる（図９参照）。
【００７６】
図４又は図６及び図８を参照すると、凹部片３２ｃは、支持脚３２１を有している。支持脚３２１は、プリント基板９ｐにハンダ接合できる（図１参照）。又、側面板３２は、支持脚３２２を前面側から突出している。支持脚３２２は、プリント基板９ｐにハンダ接合できる（図１参照）。つまり、実施形態によるリセプタクル１０は、プリント基板９ｐに実装自在なプリント基板用コネクタである。
【００７７】
図７（Ｂ）を参照すると、外部ハウジング１は、一対の係止穴１１４・１１４を背面側に開口している。係止穴１１４は、窓１１ｗに連通している。図４又は図８を参照すると、支持脚３２１は、その板厚面から突出する一対のバーブ３２ｂ・３２ｂを基端部側に有している。支持脚３２１を係止穴１１４に挿入すると、これらのバーブ３２ｂ・３２ｂを係止穴１１４の内壁に係止できる。つまり、外部シェル３を外部ハウジング１に固定できる（図１又は図２参照）。
【００７８】
（内部シェルの構成）
次に、実施形態による内部シェル４の構成を説明する。図４又は図６を参照すると、内部シェル４は、導電性を有する帯状の展開板を成形して矩形の角筒状に構成している。内部シェル４の形状を保全するために、前記展開板は、下面板の中央部で互いに噛み合う凹凸状のシーム（継ぎ目）４２ｊ（図４参照）を両端縁部に形成している。そして、前記展開板を角筒状に成形し、この展開板の両端縁を繋ぎ合わせることで、上面板、一対の側面板、及び、下面板で囲われた矩形の開口を得ることができる。
【００７９】
図４又は図１０及び図１１を参照すると、第２圧入片４２ｐは、ばね片４２ｓを有している。ばね片４２ｓは、第２圧入片４２ｐに片持ち支持されている。ばね片４２ｓは、第２圧入片４２ｐから上り傾斜した状態で配置されている。
【００８０】
図４を参照して、外部シェル３を外部ハウジング１に向かって挿入すると、ばね片４２ｓの先端部を外部シェル３の天板３１の内壁に接触できる（図１３参照）。これにより、外部シェル３と内部シェル４を確実に導通でき、シールド効果を向上できる。
【００８１】
図４又は図６及び図１０を参照すると、内部シェル４は、一対の脚片４１１・４１１を有している。脚片４１１の基端部には、第１圧入片４１ｐを配置している。図１０を参照して、一対一組の第１圧入片４１ｐ・４１ｐを外部ハウジング１の背面側に圧入した状態では、一対の脚片４１１・４１１は、その先端部が外部ハウジング１の底面から突出している。
【００８２】
図１又は図１０を参照して、一対の脚片４１１・４１１は、その先端部をプリント基板９ｐに開口したスルーホール（図示せず）にハンダ接合できる。すなわち、実施形態によるリセプタクル１０は、プリント基板９ｐの表面に実装自在なプリント基板用コネクタである。
【００８３】
（内部ハウジングの構成）
次に、実施形態による内部ハウジング５の構成を説明する。図４又は図６及び図９を参照すると、内部ハウジング５は、絶縁性を有している。非導電性の材料からなる合成樹脂を成形して、所望の形状の絶縁性の内部ハウジング５を得ることができる。
【００８４】
図４又は図６及び図９を参照すると、内部ハウジング５は、内部シェル４を介して、外部ハウジング１の背面側に支持されている。図１から図３及び図９を参照して、プラグ２０を外部ハウジング１の収容室１１に挿入した状態では、プラグ２０のシェル２２とリセプタクル１０の内部シェル４を導通自在に嵌合している。
【００８５】
又、図１から図３及び図９を参照して、プラグ２０を外部ハウジング１の収容室１１に挿入した状態では、プラグ２０のヘッダ２３ｈを内部ハウジング５のコンタクト収容室５１に挿入している。そして、プラグ２０に配列した複数のコンタクト２４を第１コンタクト６１の一片６１１及び第２コンタクト６２の一片６２１に接触できる。
【００８６】
（コンタクトの構成）
次に、実施形態による第１コンタクト６１及び第２コンタクト６２の構成を説明する。図４又は図６及び図１４を参照して、第１コンタクト６１及び第２コンタクト６２は、導電性を有している。導電性の金属板を打ち抜き加工又は折り曲げ加工して、所望の形状の導電性の第１コンタクト６１及び第２コンタクト６２を得ることができる。
【００８７】
図４又は図６及び図１４を参照して、第１コンタクト６１及び第２コンタクト６２は、加工の容易性や、ばね特性、導電性などを考慮すれば、例えば、銅合金が好ましく用いられるが、銅合金に限定される訳ではない。
【００８８】
図１４を参照すると、第１コンタクト６１の一片６１１は、複数のバーブを板厚面からに突出している。一方、図１３を参照すると、内部ハウジング５は、複数の浅溝５１ｄをコンタクト収容室５１の上内壁に穿設している。第１コンタクト６１の一片６１１をコンタクト収容室５１の浅溝５１ｄに圧入することで、第１コンタクト６１を内部ハウジング５に固定できる。
【００８９】
同様に、図１４を参照すると、第２コンタクト６２の一片６２１は、複数のバーブを板厚面からに突出している。一方、図１３を参照すると、内部ハウジング５は、複数の浅溝５２ｄをコンタクト収容室５１の底内壁に穿設している。第２コンタクト６２の一片６２１をコンタクト収容室５１の浅溝５２ｄに圧入することで、第１コンタクト６１を内部ハウジング５に固定できる。
【００９０】
図１４を参照すると、第１コンタクト６１の他片６１２は、リード部６１ｒを先端部に有している。リード部６１ｒは、一片６１１と反対側に延出している。同様に、第２コンタクト６２の他片６２２は、リード部６２ｒを先端部に有している。リード部６２ｒは、一片６２１と反対側に延出している。これらのリード部６１ｒ・６２ｒは、プリント基板９ｐの表面に形成したパターン（図示せず）にハンダ接合できる（図１参照）。すなわち、実施形態によるリセプタクル１０は、プリント基板９ｐの表面にハンダ接合が自在な表面実装用コネクタである（図１参照）。
【００９１】
［シールドコネクタの作用］
次に、実施形態によるリセプタクル１０の作用及び効果を説明する。図１から図１４を参照すると、リセプタクル１０は、第１コンタクト６１の他片６１２及び第２コンタクト６２の他片６２２を内部ハウジング５の背面に同列に配置している（図９又は図１０参照）。これにより、第１コンタクトの他片と第２コンタクトの他片が所定に間隔を維持するためのスペーサ９７を不要にできる（図１８（Ｂ）参照）。そして、リセプタクル１０の奥行方向の長さを小さくできる。
【００９２】
又、図１から図１４を参照すると、リセプタクル１０は、内部シェル４に形成した一対一組の第１圧入片４１ｐ・４１ｐを外部ハウジング１の背面に開口した圧入穴１１ｈ・１１ｈに圧入することで、内部シェル４を外部ハウジング１に固定している。これにより、従来技術による一対のランス９１ｒ・９１ｒを不要とし（図１５参照）、リセプタクル１０の幅方向の長さを小さくできる。
【００９３】
図１から図１４を参照すると、実施形態によるリセプタクル１０は、外部ハウジング１と内部ハウジング５、及び、外部シェル３と内部シェル４を備え、外部シェル３の背面板３３が近接自在に、複数の第１コンタクト６１及び第２コンタクト６２を内部ハウジング５の背面に同列に配置すると共に、内部シェル４の両側面に配置した一対の第１圧入片４１ｐ・４１ｐが外部ハウジング１の両側面に形成した圧入溝１１３・１１３に係止自在に構成することで、従来技術によるスペーサ及び一対の内部ランスを不要とし、シールドコネクタをより小型化できる。
【００９４】
又、図４又は図１０及び図１１を参照すると、実施形態によるリセプタクル１０は、外部シェル３の天板３１の内壁に接触自在な、一対のばね片４２ｓ・４２ｓを内部シェル４の上部に備えているので、外部シェル３と内部シェル４を確実に導通でき、シールド効果を向上できる。
【００９５】
本発明は、シールド性能を向上すると共に、小型化した車載用のＨＤＭＩコネクタ（リセプタクル）を開示したが、本発明によるシールドコネクタは、ＨＤＭＩコネクタに限定されない。
【符号の説明】
【００９６】
１  外部ハウジング
３  外部シェル
４  内部シェル
５  内部ハウジング
１０  リセプタクル（シールドコネクタ）
１１  収容室
１１ａ  開口
１１ｈ  圧入穴
２０  プラグ（相手側のコネクタ）
３３  背面板
４１ｐ・４１ｐ  一対の第１圧入片
５１  コンタクト収容室
６１  第１コンタクト
６２  第２コンタクト
６１１  一片（第１コンタクトの一片）
６１２  他片（第１コンタクトの他片）
６２１  一片（第２コンタクトの一片）
６２２  他片（第２コンタクトの他片）
【図１】
0006534917.tif 000002
【図２】
0006534917.tif 000003
【図３】
0006534917.tif 000004
【図４】
0006534917.tif 000005
【図５】
0006534917.tif 000006
【図６】
0006534917.tif 000007
【図７】
0006534917.tif 000008
【図８】
0006534917.tif 000009
【図９】
0006534917.tif 000010
【図１０】
0006534917.tif 000011
【図１１】
0006534917.tif 000012
【図１２】
0006534917.tif 000013
【図１３】
0006534917.tif 000014
【図１４】
0006534917.tif 000015
【図１５】
0006534917.tif 000016
【図１６】
0006534917.tif 000017
【図１７】
0006534917.tif 000018
【図１８】
0006534917.tif 000019